(57)【要約】【課題】光源ハウジングの外面温度を低く抑えることができる光源装置を提供する。【解決手段】光源ランプ１６と前面が開放する凹面リフレクタ１７とからなり、リフレクタ１７内に配置された光源ランプ１６からの放射光をリフレクタ１７により反射してその前面の開放部から出射する光源部１５の上方及び側方を囲んで、ハウジング内面板２５ａとハウジング外面板２５ｂとの間に通風空間２６を形成した二重壁構造の光源ハウジング２５を配置した。【選択図】図３
2006259290.tif 000002
【特許請求の範囲】
【請求項１】
光源ランプとリフレクタとからなり、前記光源ランプからの放射光を前記リフレクタにより反射して前方に出射する光源部と、前記光源部の上方及び側方を囲んで設けられた内部に通風空間を有する二重壁構造の光源ハウジングとを備えたことを特徴とする光源装置。
【請求項２】
光源ハウジングは、光源部の上方及び側方を囲むハウジング内面板と、前記内面板の外周を囲むハウジング外面板とからなっており、前記内面板と外面板との間に、両端が前記ハウジング外に開放する通風空間が形成されていることを特徴とする請求項１に記載の光源装置。
【請求項３】
光源部の出射側に、前記光源部からの出射光を一端面から入射させ、その光を導いて他端面から均一な強度分布の光を出射する導光ロッドが配置されており、光源ハウジングは、前記光源部及び前記導光ロッドの配置部を囲んで設けられていることを特徴とする請求項１または２に記載の光源装置。
【請求項４】
外気を取込む吸気部と内部の空気を排出する排気部とが設けられたプロジェクタケース内に、
入射光の出射を制御して画像を表示する画像表示素子と、
前記画像表示素子の表示画像を外部の投影面に投影する投影レンズと、
光源ランプとリフレクタとからなり、前記光源ランプからの放射光を前記リフレクタにより反射して前方に出射する光源部と、前記光源部の上方及び側方を囲んで設けられた内部に通風空間を有する二重壁構造の光源ハウジングとを備えた光源装置と、
前記光源装置からの出射光を前記画像表示素子に入射させる光源側光学系とを設けたことを特徴とするプロジェクタ。
【請求項５】
光源装置の光源ハウジングは、光源部の上方及び両方を囲むハウジング内面板と、前記内面板の外周を囲むハウジング外面板とからなっており、前記内面板と外面板との間に、両端が前記ハウジング外に開放する通風空間が形成されていることを特徴とする請求項４に記載のプロジェクタ。
【請求項６】
光源装置は、光源部の出射側に配置され、前記光源部からの出射光を一端面から入射させ、その光を導いて他端面から均一な強度分布の光を出射する導光ロッドを備えており、光源ハウジングは、前記光源部及び前記導光ロッドの配置部を囲んで設けられていることを特徴とする請求項４または５に記載のプロジェクタ。
【請求項７】
光源装置は、その光源ハウジングの外面をプロジェクタケース面に近接させて配置されていることを特徴とする請求項４に記載のプロジェクタ。
【請求項８】
プロジェクタケースは、光源装置の高さよりも僅かに大きい高さを有する薄箱状に形成されており、前記光源装置は、前記プロジェクタケースの底部に光源部を支持され、光源ハウジングの上面を前記プロジェクタケースの上面に近接させて配置されていることを特徴とする請求項７に記載のプロジェクタ。
【請求項９】
プロジェクタケースの底面に、光源装置の光源部に対応させて、蓋板の取外しにより開口されるランプ交換口が設けられ、前記光源装置の光源部は、前記ランプ交換口に着脱可能に設けられた光源部支持板上に支持されており、前記ランプ交換口の前記蓋板の内面と前記光源部支持板の下面との間に、底部通風空間が形成されていることを特徴とする請求項８に記載のプロジェクタ。
【発明の詳細な説明】
【技術分野】
【０００１】
この発明は、光源装置及びそれを備えたプロジェクタに関する。
【背景技術】
【０００２】
画像表示素子の表示画像を投影するプロジェクタは、プロジェクタケース内に、入射光の出射を制御して画像を表示する画像表示素子と、前記画像表示素子の表示画像を外部の投影面に投影する投影レンズと、光源装置と、前記光源装置からの出射光を前記画像表示素子に入射させる光源側光学系とを設けた構成となっている。
【０００３】
このプロジェクタには、光源ランプとリフレクタとからなり、前記光源ランプからの放射光を前記リフレクタにより反射して前方に出射する光源部と、前記光源部の周囲を囲んで設けられた光源ハウジングとを備えた光源装置が用いられている（特許文献１参照）。
【特許文献１】特開平１０―２３３５５号公報
【発明の開示】
【発明が解決しようとする課題】
【０００４】
しかし、従来の光源装置は、光源ランプとリフレクタとからなる光源部からの輻射熱が、光源ハウジングを熱媒体として前記光源ハウジングの外面から周囲に放出されるため、前記光源ハウジングの外面温度が非常に高くなる。
【０００５】
そのため、従来の光源装置を備えたプロジェクタは、その小型化や薄型化のためにプロジェクタケース内の前記光源装置の近傍に電子部品を配置すると、その電子部品が前記光源装置からの熱影響を受け、また、前記光源装置を前記光源ハウジングの外面をプロジェクタケース面に近接させて配置すると、前記プロジェクタケースの前記光源装置を近接させたケース面が熱くなる。
【０００６】
この発明は、光源ハウジングの外面温度を低く抑えることができる光源装置を提供するとともに、その光源装置を備えたプロジェクタを提供することを目的としたものである。
【課題を解決するための手段】
【０００７】
この発明の光源装置は、光源ランプとリフレクタとからなり、前記光源ランプからの放射光を前記リフレクタにより反射して前方に出射する光源部と、前記光源部の上方及び側方を囲んで設けられた内部に通風空間を有する二重壁構造の光源ハウジングとを備えたことを特徴とする。
【０００８】
この光源装置において、前記光源ハウジングは、前記光源部の上方及び側方を囲むハウジング内面板と、前記内面板の外周を囲むハウジング外面板とにより構成し、前記内面板と外面板との間に、両端が前記ハウジング外に開放する通風空間を形成するのが好ましい。
【０００９】
また、この光源装置は、前記光源部の出射側に、前記光源部からの出射光を一端面から入射させ、その光を導いて他端面から均一な強度分布の光を出射する導光ロッドを配置し、前記光源ハウジングを、前記光源部及び前記導光ロッドの配置部を囲んで設けた構成のものが望ましい。
【００１０】
この発明のプロジェクタは、
外気を取込む吸気部と内部の空気を排出する排気部とが設けられたプロジェクタケース内に、
入射光の出射を制御して画像を表示する画像表示素子と、
前記画像表示素子の表示画像を外部の投影面に投影する投影レンズと、
光源ランプとリフレクタとからなり、前記光源ランプからの放射光を前記リフレクタにより反射して前方に出射する光源部と、前記光源部の上方及び側方を囲んで設けられた内部に通風空間を有する二重壁構造の光源ハウジングとを備えた光源装置と、
前記光源装置からの出射光を前記画像表示素子に入射させる光源側光学系とを設けたことを特徴とする。
【００１１】
このプロジェクタにおいて、前記光源装置の光源ハウジングは、光源部の上方及び両方を囲むハウジング内面板と、前記内面板の外周を囲むハウジング外面板とにより構成し、前記内面板と外面板との間に、両端が前記ハウジング外に開放する通風空間を形成するのが好ましい。
【００１２】
さらに、前記光源装置は、前記光源部の出射側に、前記光源部からの出射光を一端面から入射させ、その光を導いて他端面から均一な強度分布の光を出射する導光ロッドを配置し、前記光源ハウジングを、前記光源部及び前記導光ロッドの配置部を囲んで設けた構成のものが望ましい。
【００１３】
また、このプロジェクタにおいて、前記光源装置は、その光源ハウジングの外面を前記プロジェクタケース面に近接させて配置するのが望ましい。
【００１４】
その場合は、前記プロジェクタケースを、前記光源装置の高さよりも僅かに大きい高さを有する薄箱状に形成し、前記光源装置を、前記プロジェクタケースの底部に光源部を支持させ、前記光源ハウジングの上面を前記プロジェクタケースの上面に近接させて配置するのが好ましい。
【００１５】
さらにその場合は、前記プロジェクタケースの底面に、前記光源装置の光源部に対応させて、蓋板の取外しにより開口されるランプ交換口を設け、前記光源装置の光源部を、前記ランプ交換口に着脱可能に設けられた光源部支持板上に支持させるとともに、前記ランプ交換口の前記蓋板の内面と前記光源部支持板の下面との間に、底部通風空間を形成した構成とするのが望ましい。
【発明の効果】
【００１６】
この発明の光源装置は、光源ランプとリフレクタとからなる光源部の上方及び側方を囲んで、内部に通風空間を有する二重壁構造の光源ハウジングを配置したものであるため、前記光源部からの輻射熱を前記光源ハウジング内の通風空間の空気層により遮熱し、前記光源ハウジングの外面温度を低く抑えることができる。
【００１７】
この光源装置において、前記光源ハウジングは、前記光源部の上方及び側方を囲むハウジング内面板と、前記内面板の外周を囲むハウジング外面板とにより構成し、前記内面板と外面板との間に、両端が前記ハウジング外に開放する通風空間を形成するのが好ましく、このようにすることにより、前記光源ハウジングに、その略全域にわたって良好な遮熱性をもたせることができる。
【００１８】
また、この光源装置は、前記光源部の出射側に、前記光源部からの出射光を一端面から入射させ、その光を導いて他端面から均一な強度分布の光を出射する導光ロッドを配置し、前記光源ハウジングを、前記光源部及び前記導光ロッドの配置部を囲んで設けた構成のものが望ましく、このようにすることにより、光源装置から強度分布の均一な光を出射するとともに、前記光源部からの輻射熱と前記導光ロッドからの輻射熱の両方を前記光源ハウジングにより遮熱することができる。
【００１９】
この発明のプロジェクタは、外気を取込む吸気部と内部の空気を排出する排気部とが設けられたプロジェクタケース内に、入射光の出射を制御して画像を表示する画像表示素子と、前記画像表示素子の表示画像を外部の投影面に投影する投影レンズと、光源ランプとリフレクタとからなる光源部の上方及び側方を囲んで内部に通風空間を有する二重壁構造の光源ハウジングとを配置した前記光源装置と、前記光源装置からの出射光を前記画像表示素子に入射させる光源側光学系とを設けたものであり、このプロジェクタによれば、前記光源装置の光源ハウジングの外面温度が低く、したがってその近傍の電子部品に熱影響を及ぼすことが無いため、前記プロジェクタケース内の前記光源装置の近傍に電子部品を配置し、プロジェクタを小型化することができる。
【００２０】
このプロジェクタにおいて、前記光源装置の光源ハウジングは、光源部の上方及び両方を囲むハウジング内面板と、前記内面板の外周を囲むハウジング外面板とにより構成し、前記内面板と外面板との間に、両端が前記ハウジング外に開放する通風空間を形成するのが好ましく、このようにすることにより、前記光源ハウジングに、その略全域にわたって良好な遮熱性をもたせることができるため、前記光源装置の近傍の電子部品への熱影響をさらに確実に無くすことができる。
【００２１】
さらに、前記光源装置は、前記光源部の出射側に、前記光源部からの出射光を一端面から入射させ、その光を導いて他端面から均一な強度分布の光を出射する導光ロッドを配置し、前記光源ハウジングを、前記光源部及び前記導光ロッドの配置部を囲んで設けた構成のものが望ましく、このようにすることにより、前記光源装置から強度分布の均一な光を出射させ、その光を前記画像表示素子に入射させて輝度むらの無い良好な画像を表示させるとともに、前記光源部からの輻射熱と前記導光ロッドからの輻射熱の両方を前記光源ハウジングにより遮熱し、前記光源装置の近傍の電子部品への熱影響をより確実に無くすことができる。
【００２２】
また、このプロジェクタにおいて、前記光源装置は、その光源ハウジングの外面を前記プロジェクタケース面に近接させて配置するのが望ましく、このようにすることにより、プロジェクタをより小型化することができる。
【００２３】
そして、前記光源装置は、前記光源ハウジングの外面温度が低いため、この光源ハウジングの外面を前記プロジェクタケース面に近接させて配置しても、前記プロジェクタケースの前記光源装置を近接させたケース面が熱くなることは無い。
【００２４】
その場合は、前記プロジェクタケースを、前記光源装置の高さよりも僅かに大きい高さを有する薄箱状に形成し、前記光源装置を、前記プロジェクタケースの底部に光源部を支持させ、前記光源ハウジングの上面を前記プロジェクタケースの上面に近接させて配置するのが好ましく、このようにすることにより、プロジェクタを薄型化することができる。
【００２５】
さらにその場合は、前記プロジェクタケースの底面に、前記光源装置の光源部に対応させて、蓋板の取外しにより開口されるランプ交換口を設け、前記光源装置の光源部を、前記ランプ交換口に着脱可能に設けられた光源部支持板上に支持させるとともに、前記ランプ交換口の前記蓋板の内面と前記光源部支持板の下面との間に、底部通風空間を形成した構成とするのが望ましく、このようにすることにより、前記プロジェクタケースの底面が熱くなるのも防ぐことができる。
【発明を実施するための最良の形態】
【００２６】
図１〜図５はこの発明の一実施例を示しており、図１及び図２はプロジェクタの斜視図及び水平面に沿う断面図、図３は前記プロジェクタの光源装置配置部の垂直面に沿う拡大断面図、図４は図３のIV−IV線に沿う断面図、図５は前記光源装置の平面図である。
【００２７】
まず、図１及び図２に示したプロジェクタについて説明すると、このプロジェクタは、プロジェクタケース１内に、入射光の出射を制御して画像を表示する画像表示素子１１と、前記画像表示素子１１の表示画像を図示しない外部の投影面に投影する投影レンズ１２と、前記画像表示素子１１に入射させる光を出射する光源装置１４と、前記光源装置１４からの出射光を前記画像表示素子１１に入射させる光源側光学系２８とを設けたものである。
【００２８】
前記投影レンズ１２はズーミングレンズであり、プロジェクタケース１の左右いずれか一方の側面の近傍に、レンズ光軸をプロジェクタケース１の前後方向に向けるとともに、出射端をプロジェクタケース１の前面に設けられた投影窓２に対向させ、ズーミング操作部１３を前記プロジェクタケース１の側面に設けられたズーミング用開口３に対応させて配置されている。
【００２９】
前記画像表示素子１１は、その表示面から入射した光を反射して前記表示面から出射する反射型表示素子であり、この実施例では、複数のマイクロミラー（図示せず）が行方向及び列方向にマトリックス状に配列した表示エリアを有するマイクロミラー表示素子を用いている。以下、この反射型画像表示素子１１をマイクロミラー表示素子という。
【００３０】
このマイクロミラー表示素子１１は、その正面方向に対して一方の方向に傾いた入射方向から所定の入射角で入射した光の反射方向を、前記複数のマイクロミラーの傾き方向の切換えにより前記正面方向と斜め方向とに制御して画像を表示するものであり、前記投影レンズ１２の後方に、正面方向に反射される画像光の出射方向を投影レンズ１２の入射端に向けて配置されている。
【００３１】
そして、前記光源装置１４は、前記プロジェクタケース１内のマイクロミラー表示素子１１及び投影レンズ１２の配置側とは反対側、つまり前記マイクロミラー表示素子１１から出射して投影レンズ１２に入射する画像光の光路の側方に配置されており、この光源装置１４と前記マイクロミラー表示素子１１との間に、前記光源装置１４からの出射光をマイクロミラー表示素子１１にその表示面から入射させる光源側光学系２８が設けられている。
【００３２】
また、前記プロジェクタケース１のマイクロミラー表示素子１１及び投影レンズ１２が配置された側の側面には外気を取込む吸気部５が設けられ、その反対側、つまり光源装置１４が配置された側の側面には内部の空気を排出する排気部６が設けられており、プロジェクタケース１内には、前記排気部６に対応させて、プロジェクタケース１内の空気を強制排気するための複数台の空冷ファン７ａ，７ｂ，７ｃが配置されている。
【００３３】
さらに、前記プロジェクタケース１の上面には放音部８とキーボード９が設けられており、プロジェクタケース１内には、前記放音部８に対応させて図示しないスピーカが配置されるとともに、前記マイクロミラー表示素子１１、投影レンズ１２、光源装置１４及び光源側光学系２８の配置部を避けて、電源部、表示素子駆動回路、光源駆動回路、スピーカ駆動回路、ファン駆動回路等を備えた制御ユニット１０が配置されている。
【００３４】
次に、前記プロジェクタの光源装置１４について説明すると、この光源装置１４は、図２〜図５に示したように、光源ランプ１６と前面が開放する凹面リフレクタ１７とからなり、前記リフレクタ１７内に配置された前記光源ランプ１６からの放射光を前記リフレクタ１７により集光方向に反射してその前面の開放部から前方に出射する光源部１５と、前記光源部１５の出射側に配置された導光ロッド２４とを備えている。
【００３５】
前記光源部１５の光源ランプ１６は、例えば超高圧水銀ランプであり、その軸線をリフレクタ１７の中心線に一致させて前記リフレクタ１７内に配置され、その一端部をリフレクタ後端の中心に設けられたランプ挿通孔に挿通されて、前記リフレクタ１７の後端の中心部の外側に設けられたランプ支持部１８に支持されている。
【００３６】
前記リフレクタ１７は、耐熱性ガラスからなるリフレクタ本体の内周面または外周面に反射膜（図示せず）を設けたガラスリフレクタであり、その反射面は、前記光源ランプ１６からの放射光をリフレクタ中心線上の一点に集光する方向に反射してリフレクタ前面の開放部から出射する楕円球面に形成されている。
【００３７】
また、前記光源部１５は、前記リフレクタ１７の開放部の周縁から前方に張出す筒状の防爆カバー１９と、この防爆カバー１９の前端の開口部に設けられた透明な防爆ガラス２０とを備えており、前記防爆ガラス２０は、防爆カバー１９の開口部に嵌装され、前記防爆カバー１９の開口縁にビス止めされた防爆ガラス押え２１により固定されている。
【００３８】
前記防爆ガラス押え２１は、前記光源部１５からの出射光のうち、前記リフレクタ１７により集光方向に反射された光を透過させ、前記光源ランプ１６から直接前記リフレクタ１７の開放部に向かって放射されて集光されることなく出射した広がり角の大きい不要光を遮断するものであり、前記防爆ガラス２０の外面全体を覆う面積を有し、前記光源部１５からのリフレクタ１７により集光方向に反射された出射光が入射する部分にその光の透過孔２１ａが設けられたアルミニウム板等の遮光板からなっている。
【００３９】
また、この実施例では、前記光源ランプ１６から放射され、前記リフレクタ１７により集光方向に反射された光のうち、前記防爆ガラス２０のガラス面で反射されてリフレクタ１７内に戻った光が光源ランプ１６に集光して前記光源ランプ１６をさらに昇熱させるのを防ぐため、前記防爆ガラス２０をリフレクタ中心線に対して斜めに傾けて設けている。
【００４０】
なお、図では省略しているが、前記防爆カバー１９の周面には、プロジェクタケース１内を流れる冷却空気をリフレクタ１７及び防爆カバー１９内に流してその内部を空冷するための吸気口及び排気口が設けられている。
【００４１】
また、図では省略しているが、前記光源ランプ１６の両端にはそれぞれ、この光源ランプ１６を前記制御ユニット１０の光源駆動回路に接続するためのリード線が接続されており、そのうち、リフレクタ１７内側のランプ端に接続されたリード線は、リフレクタ１７の一部に設けられたリード通し孔からリフレクタ１７外に導出されている。
【００４２】
一方、前記プロジェクタケース１の底面には、前記光源部１５の配置部に対応させて、蓋板１ｂの取外しにより開口されるランプ交換口１ａが設けられており、前記光源部１５は、前記ランプ交換口１ａにビス止め等の手段により着脱可能に設けられた光源部支持板２２の上に光源部固定部材２３を介して支持され、光源ランプ１６の交換時等に前記光源部支持板２２と一緒にケース１外に取出されるようになっている。
【００４３】
なお、前記光源部固定部材２３は、光源部支持板２２の上面に固定されたプレート部と、このプレート部上に立設された前記リフレクタ１７の開放部に対応する開口を有する光源部固定板とからなっており、前記光源部は、前記リフレクタ１７の開放端及び前記防爆カバー１９のリフレクタ側端部の外周にそれぞれ設けられたフランジ部の間に前記光源部固定板を挟持し、前記リフレクタ１７と防爆カバー１９の両方のフランジ部をボルトにより締付けることにより前記光源部固定板に固定されている。
【００４４】
また、前記導光ロッド２４は、前記マイクロミラー表示素子１１の表示エリアに対応する断面形状を有する角棒体または角筒体からなっており、その一端面が光の入射面とされ、他端面が前記一端面から入射した光の出射面とされている。
【００４５】
この導光ロッド２４は、その一端面から入射した光をロッド外周面と外気（空気）との界面またはロッド外周面に形成された反射膜により反射しながら導いて他端面から均一な強度分布の光を出射するものであり、前記光源部１５の出射側に、ロッド中心軸を前記リフレクタ１７の中心線に一致させるとともに、その一端面を前記光源部１５のリフレクタ１７による反射光の集光点付近に位置させて配置されている。
【００４６】
さらに、前記光源装置１４は、前記光源ランプ１６とリフレクタ１７とからなる光源部１５の上方及び側方を囲んで配置された内部に通風空間２６を有する二重壁構造の光源ハウジング２５を備えている。
【００４７】
この光源ハウジング２５は、前記光源部１５の上方及び側方を囲むハウジング内面板２５ａと、前記内面板２５ａの外周を囲むハウジング外面板２５ｂとからなっており、前記内面板２５ａと外面板２５ｂとの間に、両端がハウジング２５外に開放する通風空間２６が形成されている。
【００４８】
すなわち、前記光源ハウジング２５は、プロジェクタケース１内を流れる冷却空気を、図３に破矢線で示したように前記ハウジング内面板２５ａと外面板２５ｂとの間の通風空間２６にその一方の開放端（プロジェクタケース１内の冷却空気流の上流側の開放端）から流入させ、その冷却空気を前記通風空間２６の他方の開放端から前記プロジェクタケース１内の流出させるようにしたものである。
【００４９】
なお、この実施例では、前記光源ハウジング２５の内面板２５ａと外面板２５ｂをそれぞれ、アルミニウム板等の金属板を角筒体の一側面を開放させた溝型形状に加工した部材とし、この内面板２５ａ及び外面板２５ｂを、それぞれの開放面を下方に向けてプロジェクタケース１内に配置し、前記内面板２５ａの開放縁部と前記外面板２５ｂの開放縁部とを前記プロジェクタケース１の底面板にビス止め等の手段により固定している。
【００５０】
また、この実施例では、前記光源ハウジング２５を、前記光源部１５のリフレクタ１７の後端よりも後方から前記導光ロッド２４の出射端の前方にわたる長さに形成し、この光源ハウジング２５を、前記光源部１５及び前記導光ロッド２４の配置部を囲んで設けている。
【００５１】
前記光源装置１４は、光源ランプ１６とリフレクタ１７とからなる光源部１５の上方及び側方を囲んで、内部に通風空間２６を有する二重壁構造の光源ハウジング２５を配置したものであるため、前記光源部１５からの輻射熱を前記光源ハウジング２５内の通風空間２６の空気層により遮熱し、前記光源ハウジング２５の外面温度を低く抑えることができる。
【００５２】
この実施例の光源装置１４は、前記光源ハウジング２５を、前記光源部１５の上方及び側方を囲むハウジング内面板２５ａと、前記内面板２５ａの外周を囲むハウジング外面板２５ｂとにより構成し、前記内面板２５ａと外面板２５ｂとの間に、両端がハウジング２５外に開放する通風空間２６を形成しているため、前記光源ハウジング２５に、その略全域にわたって良好な遮熱性をもたせることができる。
【００５３】
また、前記光源装置１４は、前記光源部１５の出射側に、前記光源部１５からの出射光を一端面から入射させ、その光を導いて他端面から均一な強度分布の光を出射する導光ロッド２４を配置し、前記光源ハウジング２５を、前記光源部１５及び導光ロッド２４の配置部を囲んで設けているため、この光源装置１４から強度分布の均一な光を出射するとともに、前記光源部１５からの輻射熱と前記導光ロッド２４からの輻射熱の両方を前記光源ハウジング２５により遮熱することができる。
【００５４】
前記光源装置１４は、図２に示したように、前記プロジェクタケース１内に、この光源装置１４からの光の出射方向を、前記マイクロミラー表示素子１１から出射して投影レンズ１２に入射する画像光の光路に向けるとともに、前記光源ハウジング２５の外面をプロジェクタケース面に近接させて配置されている。
【００５５】
この実施例では、前記プロジェクタケース１を、前記光源装置１４の高さ（光源ハウジング２５の高さ）よりも僅かに大きい高さを有する薄箱状に形成し、前記光源装置１４を、前記プロジェクタケース１の底部に前記光源部１５を前記光源部支持板２２により支持させ、前記光源ハウジング２５の上面を前記プロジェクタケース１の上面に、そのケース上面との間に通風間隙を設けて近接させて配置している。
【００５６】
さらに、この実施例では、前記光源部支持板２２を、プロジェクタケース１の底面のランプ交換口１ａを塞ぐ蓋板１ｂから離間させて配置し、前記光源部支持板２２の両端部に、プロジェクタケース１内を流れる冷却空気を図３に破矢線で示したように前記蓋板１ｂとの間の隙間に流すための開口２２ａ，２２ｂを設けて、前記蓋板１ｂの内面と前記光源部支持板２２の下面との間に、底部通風空間２７を形成している。
【００５７】
また、前記光源装置１４からの出射光を前記マイクロミラー表示素子１１に入射させる光源側光学系２８は、前記光源装置１４から前記導光ロッド２４により強度分布を均一化されて出射した光を平行光に補正するコンデンサレンズ２９と、前記コンデンサレンズ２９からの出射光を反射して前記マイクロミラー表示素子１１にその表示面から所定の入射角（マイクロミラー表示素子１１の正面方向に対して一方の方向に傾いた入射角）で入射させる反射板３０とにより構成されており、前記コンデンサレンズ２９は、前記マイクロミラー表示素子１１から出射して投影レンズ１２に入射する画像光の光路と前記光源装置１４との間に配置され、前記反射板３０は、前記画像光の光路を挟んで前記光源装置１４の配置側とは反対側に配置されている。
【００５８】
さらに、このプロジェクタは、前記マイクロミラー表示素子１１にフィールドシーケンシャル表示によりカラー画像を表示させるため、前記光源装置１４からの出射光を赤、緑、青の３色の単位色に順次着色するカラーホィール３１を備えている。
【００５９】
このカラーホィール３１は、赤、緑、青の３色のカラーフィルタ（図示せず）を周方向に交互に並べて設けた回転板からなっており、その中心をホィール回転モータ３２の回転軸に固定されている。
【００６０】
前記カラーホィール３１は、前記モータ３２により高速で回転駆動されて前記光源装置１４からの出射光を赤、緑、青の３色の単位色に順次着色するものであり、この実施例では、このカラーホィール３１を、前記光源装置１４の光源部１５と導光ロッド２４との間に、カラーホィール３１の回転中心から一方の側を前記光源部１５からの出射光の光路と交差させて配置している。
【００６１】
さらに、この実施例では、前記カラーホィール３１の入射側面（光源部１５側の面）に近接させて、前記光源部１５からの出射光のうち、前記リフレクタ１７により集光方向に反射された光を透過させて前記カラーホィール３１に入射させ、前記リフレクタ１７による反射光とは異なる方向に向かう光、つまり光源ランプ１６から直接リフレクタ１７の開放部に向かって放射されて集光されることなく出射した広がり角の大きい不要光を遮断するカラーホィールカバー３３を設けている。
【００６２】
このカラーホィールカバー３３は、前記カラーホィール３１よりも若干大径な円板部とその周縁部に形成された前記カラーホィール３１の外周を囲む環状縁とからなるステンレス鋼板等の遮光板であり、その円板部の一部に、前記光源部１５からの出射光のうちのリフレクタ１７による反射光を透過させる光透過孔３３ａが設けられている。
【００６３】
そして、このプロジェクタは、前記光源装置１４から前記カラーホィール３１により着色されて出射した赤、緑、青の３色の単位色光を順次マイクロミラー表示素子１１に入射させるとともに、前記マイクロミラー表示素子１１の各画素に、前記赤、緑、青の３色の単位色光の入射期間に対応させて赤、緑、青の３色の単位色画像データを順次書込むことにより、前記マイクロミラー表示素子１１に赤、緑、青の３色の単位色画像を順次表示させ、その単位色画像を順次外部の投影面に投影して赤、緑、青の３色の単位色画像が重なって見えるフルカラー画像を投影面に表示する。
【００６４】
なお、この実施例では、前記カラーホィール３１を前記光源装置１４の光源部１５と導光ロッド２４との間に配置しているが、このカラーホィール３１は、他の位置、例えば前記光源装置１４の出射側（導光ロッド２４の出射側）と前記光源側光学系２８のコンデンサレンズ２９との間に配置してもよい。
【００６５】
このプロジェクタは、外気を取込む吸気部５と内部の空気を排出する排気部６とが設けられたプロジェクタケース１内に、入射光の出射を制御して画像を表示するマイクロミラー表示素子１１と、前記マイクロミラー表示素子１１の表示画像を外部の投影面に投影する投影レンズ１２と、光源ランプ１６とリフレクタ１７とからなる光源部１５の上方及び側方を囲んで内部に通風空間２６を有する二重壁構造の光源ハウジング２５とを配置した前記光源装置１４と、前記光源装置１４からの出射光を前記マイクロミラー表示素子１１に入射させる光源側光学系２８とを設けたものであり、このプロジェクタによれば、前記光源装置１４の光源ハウジング２５の外面温度が低く、したがってその近傍の電子部品に熱影響を及ぼすことが無いため、前記プロジェクタケース１内の前記光源装置１４の近傍に前記制御ユニット１０等の電子部品を配置し、プロジェクタを小型化することができる。
【００６６】
また、このプロジェクタは、前記光源装置１４の光源ハウジング２５を、光源部１５の上方及び両方を囲むハウジング内面板２５ａと、前記内面板２５ａの外周を囲むハウジング外面板２５ｂとにより構成し、前記内面板２５ａと外面板２５ｂとの間に、両端が前記ハウジング２５外に開放する通風空間２６を形成しているため、前記光源ハウジング２５に、その略全域にわたって良好な遮熱性をもたせることができ、したがって、前記光源装置１４の近傍の電子部品への熱影響をさらに確実に無くすことができる。
【００６７】
さらに、前記光源装置１４は、前記光源部１５の出射側に、前記光源部１５からの出射光を一端面から入射させ、その光を導いて他端面から均一な強度分布の光を出射する導光ロッド２４を配置し、前記光源ハウジング２５を、前記光源部１５及び前記導光ロッド２４の配置部を囲んで設けたものであるため、この光源装置１４から強度分布の均一な光を出射させ、その光を前記マイクロミラー表示素子１１に入射させて輝度むらの無い良好な画像を表示させるとともに、前記光源部１５からの輻射熱と前記導光ロッド２４からの輻射熱の両方を前記光源ハウジング２５により遮熱し、前記光源装置１４の近傍の電子部品への熱影響をより確実に無くすことができる。
【００６８】
また、このプロジェクタは、前記光源装置１４を、その光源ハウジング２５の外面を前記プロジェクタケース１のケース面に近接させて配置しているため、プロジェクタをより小型化することができる。
【００６９】
そして、前記光源装置１４は、前記光源ハウジング２５の外面温度が低いため、この光源ハウジング２５の外面をプロジェクタケース面に近接させて配置しても、前記プロジェクタケース１の前記光源装置１４を近接させたケース面が熱くなることは無い。
【００７０】
この実施例のプロジェクタは、前記プロジェクタケース１を、前記光源装置１４の高さよりも僅かに大きい高さを有する薄箱状に形成し、前記光源装置１４を、前記プロジェクタケース１の底部に光源部１５を支持させ、前記光源ハウジング２５の上面を前記プロジェクタケース１の上面に近接させて配置しているため、プロジェクタを薄型化することができ、また、前記光源部１５からの輻射熱を前記光源ハウジング２５内の通風空間２６の空気層により遮熱して前記光源ハウジング２５の外面温度を低く抑えることができるため、前記プロジェクタケース１の上面が熱くなるのを防ぐことができる。
【００７１】
しかも、この実施例では、前記光源ハウジング２５の上面とロジェクタケース１の上面と間の隙間を通風間隙としているため、前記光源部１５からの輻射熱を、前記光源ハウジング２５内の通風空間２６の空気層と、前記光源ハウジング２５の上面とプロジェクタケース１の上面との間の通風間隙の空気層とにより二重に遮熱し、プロジェクタケース１の上面が熱くなるのをより効果的に防ぐことができる。
【００７２】
さらに、この実施例のプロジェクタは、前記プロジェクタケース１の底面に、前記光源装置１４の光源部１５に対応させて、蓋板１ｂの取外しにより開口されるランプ交換口１ａを設け、前記光源装置１４の光源部１５を、前記ランプ交換口１ａに着脱可能に設けられた光源部支持板２２上に支持させるとともに、前記ランプ交換口１ａの前記蓋板１ｂの内面と前記光源部支持板２２の下面との間に、底部通風空間２７を形成しているため、前記プロジェクタケース１の底面が熱くなるのも防ぐことができる。
【００７３】
なお、上記実施例のプロジェクタは、前記光源装置１４を、その光源ハウジング２５の上面をプロジェクタケース１の上面に近接させて配置したものであるが、前記光源装置１４を、光源ハウジング２５の上面をプロジェクタケース１の上面に近接させ、前記光源ハウジング２５の一側面を前記プロジェクタケース１の後面に近接させて配置してもよく、このようにすることにより、プロジェクタを薄型化するとともに、その平面形状を小さくすることができる。
【００７４】
また、上記実施例のプロジェクタは、入射光の出射を制御して画像を表示する画像表示素子としてマイクロミラー表示素子１１を用いたものであるが、前記画像表示素子は反射型液晶表示素子でもよく、さらに、前記画像表示素子を透過型液晶表示素子とし、その後側に前記光源装置１４を配置してもよい。
【００７５】
さらに、前記画像表示素子は、各画素にそれぞれ対応させて赤、緑、青のカラーフィルタを設けたカラー画像を表示する液晶表示素子でもよく、その場合は上述したカラーホィール３１は不要である。
【図面の簡単な説明】
【００７６】
【図１】この発明の一実施例を示すプロジェクタの斜視図。
【図２】前記プロジェクタの水平面に沿う断面図。
【図３】前記プロジェクタの光源装置配置部の垂直面に沿う拡大断面図。
【図４】図３のIV−IV線に沿う断面図。
【図５】前記光源装置の平面図。
【符号の説明】
【００７７】
１…プロジェクタケース、１ａ…ランプ交換口、１ｂ…蓋板、５…吸気部、６…排気部、７ａ，７ｂ，７ｃ…空冷ファン、１１…マイクロミラー表示素子（画像表示素子）、１２…投影レンズ、１４…光源装置、１５…光源部、１６…光源ランプ、１７…リフレクタ、１９…防爆カバー、２０…防爆ガラス、２２…光源部支持板、２４…導光ロッド、２５…光源ハウジング、２５ａ…ハウジング内面板、２５ｂ…ハウジング外面板、２６…通風空間、２７…底部通風空間、２８…光源側光学系、３１…カラーホィール、３３…カラーホィールカバー。
【図１】
2006259290.tif 000003
【図２】
2006259290.tif 000004
【図３】
2006259290.tif 000005
【図４】
2006259290.tif 000006
【図５】
2006259290.tif 000007